(57)【要約】本発明は、加齢性黄斑変性を治療するための装置に関するものであって、動作時には、動的光治療法において使用されている光源と同様の態様でもって治療用光ビームを放出し得るものとされた光源（２０）を具備し、このような装置において、光源が、１．２μｍ〜１．３μｍという範囲の波長の、好ましくは、１．２６μｍ〜１．２７μｍという範囲の波長の、治療用光ビーム（２０ａ）を放出し得るよう構成されている。好ましくは、レーザー源（２０）は、光ファイバラマンレーザーを備えている。
2005532886.tif 000002
【特許請求の範囲】
【請求項１】
加齢性黄斑変性を治療するための装置であって、
動作時には、動的光治療法において使用されている光源と同様の態様でもって治療用光ビームを放出し得るものとされた光源を具備し、
このような装置において、
前記光源が、１．２６μｍ〜１．２７μｍという範囲の波長の治療用光ビーム（２０ａ）を放出し得るよう構成され、これにより、細胞内において一重項酸素が直接的にかつ十分な量だけ形成されることを特徴とする装置。
【請求項２】
請求項１記載の装置において、
前記治療用光ビーム（２０ａ）のパワーが、１ｍＷ〜１Ｗという範囲内である、好ましくは、１０ｍＷ〜１Ｗという範囲内であることを特徴とする装置。
【請求項３】
請求項１または２記載の装置において、
治療用の前記光源が、レーザー源とされていることを特徴とする装置。
【請求項４】
請求項３記載の装置において、
前記レーザー源が、光ファイバラマンレーザー（２０）を備えていることを特徴とする装置。
【請求項５】
請求項４記載の装置において、
前記光ファイバラマンレーザーが、ポンピング用レーザーダイオード（２０１）と、イッテルビウムによってドーピングされた光ファイバレーザー（２０２）と、ラマンコンバータ（２０４）と、を備えて構成され、
前記ラマンコンバータ（２０４）が、前記光ファイバレーザー（２０２）から出力されたビームの波長を変換するように機能することを特徴とする装置。
【請求項６】
加齢性黄斑変性を治療するための方法であって、
動的光治療法において使用されている光源と同様の態様でもって治療用光ビームを放出し得るものとされた光源を使用するという方法において、
前記光源を、１．２６μｍ〜１．２７μｍという範囲の波長の治療用光ビーム（２０ａ）を放出し得るよう構成し、これにより、細胞内において一重項酸素を直接的にかつ十分な量だけ形成することを特徴とする方法。
【請求項７】
請求項６記載の方法において、
前記治療用光ビーム（２０ａ）のパワーを、１ｍＷ〜１Ｗという範囲内とする、好ましくは、１０ｍＷ〜１Ｗという範囲内とすることを特徴とする方法。
【請求項８】
請求項６または７記載の方法において、
治療用の前記光源を、レーザー源とすることを特徴とする方法。
【請求項９】
請求項８記載の方法において、
前記レーザー源を、光ファイバラマンレーザー（２０）を備えたものとすることを特徴とする方法。
【請求項１０】
請求項９記載の方法において、
前記光ファイバラマンレーザーを、ポンピング用レーザーダイオード（２０１）と、イッテルビウムによってドーピングされた光ファイバレーザー（２０２）と、ラマンコンバータ（２０４）と、を備えて構成し、
前記ラマンコンバータ（２０４）を、前記光ファイバレーザー（２０２）から出力されたビームの波長を変換するように機能するものとすることを特徴とする方法。
【発明の詳細な説明】
【技術分野】
【０００１】
本発明は、加齢性黄斑変性（age-related macular degeneration，ＡＲＭＤ）を治療するため、眼科において使用するための装置に関するものである。より詳細には、本発明は、光ビームを使用することによってとりわけ『非熱的』レーザーを使用することによって、滲出性のＡＲＭＤを治療するため、眼科において使用するための装置に関するものである。
【背景技術】
【０００２】
加齢性黄斑変性（ＡＲＭＤ）は、視力に対しての深刻な脅威であり、ＡＲＭＤ患者の多くは、増え続ける傾向にある。それは、寿命が延びているためであり、また、様々な環境要因や日中の光に対する露出要因が、遺伝的傾向と組み合わされているからである。
【０００３】
ＡＲＭＤにより、斑点のある視力細胞が徐々に増大する。これが、工業国における５０歳以上の人の視力が悪くなることの主要原因である。これは、斑点のみに影響を与える。よって、失明にまでは至らない。
【０００４】
ＡＲＭＤの形成には、２つの主要な態様が存在する。
【０００５】
１つは、ドライタイプのＡＲＭＤ、すなわち、萎縮性のＡＲＭＤである。このようなドライＡＲＭＤは、網膜の下方に複数の小さなスポットすなわち『ドルーゼ』が形成されることによって、および、網膜色素上皮が萎縮することによって、特徴づけられる。このタイプのＡＲＭＤに対しては、治療方法が存在しない。特に、レーザーによる治療方法が存在しない。
【０００６】
他は、ウェットタイプのＡＲＭＤ、すなわち、滲出性のＡＲＭＤである。このタイプのＡＲＭＤは、異常な血管の存在によって、すなわち、新血管形成によって、特徴づけられる。このような血管は、脆弱なものであって、黄斑の出血や漏洩や進展や漸次的破壊を引き起こすことができる。一般に、血管を可視化可能とするためには、血管造影法を行って、それら血管を正確に表示する必要がある。フルオレセインを使用した血管造影法は、流体漏洩を明らかにし、また、網膜新血管形成を明らかにする。一方、インドシアニングリーンを使用した血管造影法は、脈絡膜の潜在的な新血管を明らかにする。血管造影法においては、静脈内に色素を注入し、これにより、網膜および脈絡膜の血管の観測を行うとともに、様々な時間経過後における網膜の写真を撮影する。
【０００７】
この病気の最初の兆候は、眼科医にしかわかるものでしかなく、眼の裏面を検査することにより検出され、可能であれば、フルオロセインやインドシアニングリーンを使用した血管造影法を行うことにより検出される。患者は、次なるステージへと病状が進んでからでないと、兆候を感じ取ることができない。
【０００８】
最も共通の兆候は、視覚の損失である。初期的には、読書時に、より多くの光を必要とするようになる。詳細は不明であるものの、顔の特徴点が消失する、あるいは、読書時に、ある種の文字が消失する。他の兆候は、不安感であり、多くの人が、医者の診断を受けるようになる。それは、直線が曲がって見えるようになるからである。
【０００９】
さらに病状が進むと、中央領域の視力が、かなり劣化する（視野の中央領域に黒いスポットが形成される）。顔をもはや認識することができず、読み書きも不可能となる。周縁領域の視力が残るため、患者は、移動したり自立したりすることができる。
【００１０】
ＡＲＭＤを患った患者に対しては、様々な治療を行うことができる。多数の治療が開発中であるので、治療手法のすべてを詳細に説明することはできない。加えて、どの治療を使用しても、ＡＲＭＤを完治させることができない。病状の進行を停止させたりあるいは遅らせたりすることしかできない。
【００１１】
加熱による効果を期待した熱的なタイプの治療が使用されており、また、他の治療も使用されている。
【００１２】
熱的なタイプの治療の２つは、レーザー治療による光凝固と、瞳を通しての熱的治療とである。
【００１３】
［レーザー治療による光凝固］
これは、新たな血管に対しての医療行為として有効性が証明された最初の治療法である。可視的な新血管形成は、中心窩の外側あるいは周辺である。
【００１４】
この治療法は、実施が困難である。治療の目的は、新規な血管の近傍を高温とすることによって、新規な血管を燃焼させることである。より詳細には、コヒーレントなレーザービームを、網膜の裏面部分（色素上皮）と相互作用させ、光を吸収させる。この反応により、上皮の裏面において温度が上昇する。必然的に、光検出器に対して決定的な傷害をもたらしてしまい、有害である。
【００１５】
［瞳を通しての熱的治療（Transpupillary thermal therapy，ＴＴＴ）］
瞳を通しての熱的治療においては、レーザーによる光凝固治療の場合と同様に、治療対象箇所をレーザーによって加熱する。しかしながら、この治療法においては、レーザービームを使用することによる温度上昇は、従来的な光凝固治療の場合よりも、小さい。これは、上述したようなレーザーを使用した場合の高温に基づく傷害を避けるための試みである。それでもなお、加熱効果を弱めつつ治療効果を得るために、長時間（数十秒間）にわたってレーザービームを適用する必要がある。これは、国際公開第０２／４５６３３号パンフレットに開示されている。特に、この治療に際しての推奨照射時間は、３０〜４０秒間である。うまくないことに、すべてのレーザー治療は、治療時にわたってずっと治療対象箇所を静止させる必要があるような、精度を要求する治療である。数十秒間にわたって患者の眼を静止状態に維持することは、麻酔を使用しない限りにおいては、不可能である。
【００１６】
また、２つの非熱的なタイプの治療法として、従来的薬物療法と、動的光治療と、が存在する。
【００１７】
［薬物療法］
現在のところ、薬物療法は、成功していない。研究されてきた治療法の多くは、付加的な微量元素やビタミンを供給することである。例えば、ビタミンＡ、ビタミンＥ、セレンや、亜鉛、等を供給することである。この着想においては、網膜を好代謝条件下で動作させ、よって、加齢に基づく廃棄物の蓄積というリスクを制限する。
【００１８】
［動的光治療（Dynamic phototherapy，ＤＰＴ）］
動的光治療は、近年の手法である。この手法においては、感光性薬剤と『非熱的』レーザー（網膜を燃焼させないようなレーザー）とを組み合わせる。『非熱的』レーザーは、光凝固の場合に使用されたレーザーとは相違するものである。
【００１９】
例えばVisudyne（登録商標）という商標名で市販されているような感光性薬剤を、患者の体内を通して静脈内を通して注入する。この薬剤は、網膜の異常血管のところへとすぐに到達する。そして、異常血管のところで、新血管の内壁に対して固定される。その後、治療対象をなす斑点の一部に対して、赤色レーザーを照射する。赤色レーザーは、例えば６８９ｎｍという波長のレーザーとされ、例えば９０秒間にわたって照射する。レーザービームは、感光性薬剤を活性化させるよう機能する。これにより、新血管の内部で、一連の化学反応が起こり、網膜内の異常血管が、閉塞されてやがて消失する。より詳細には、感光性薬剤をなす分子に対してのレーザービームの作用は、主に、一重項酸素（１Ｏ２）を形成するように作用する。この一重項酸素が、異常網膜血管を閉塞させるよう機能する。
【００２０】
最新の研究により、治療を行った患者の６０％が、視覚の鮮明さの安定化および改良を示したという、非常に満足のいく結果が得られた。それでもなお、この手法は、いくつかの欠点を有している。最初の欠点は、患者を、感光的な状態とすることに関連している。このため、患者は、通常は４８時間といったような比較的長期間にわたって、日光を浴びることができない。他の欠点は、高価な薬剤（感光性物質）を注入することに関連している。このため、治療が高価なものとなる。よって、治療を効果的なものとするために治療を繰り返す場合には、治療が高価となることは理解されるであろう。最後に、患者によっては、感光性薬剤の注入が、悪性の副作用をもたらすことがあり得る。
【特許文献１】国際公開第０２／４５６３３号パンフレット
【発明の開示】
【課題を解決するための手段】
【００２１】
よって、本発明の目的は、動的光治療の場合と同様に非熱的でありかつ非破壊的な治療用光ビーム（非凝固や瞳を通しての治療の場合に使用されるレーザーとは異なる）を使用するものの、感光性薬剤の注入を不要とするような、ＡＲＭＤを治療するための特にウェットＡＲＭＤを治療するための方法および装置を提供することである。
【００２２】
本発明による技術は、１．２μｍ〜１．３μｍという範囲の波長でもって、好ましくは、１．２６μｍ〜１．２７μｍという範囲の波長でもって、光ビームを放出するレーザー源を使用することを、原理としている。
【００２３】
よって、本発明は、加齢性黄斑変性をレーザー治療するための装置であって、公知な態様でもって、動作時には、非熱的治療用光ビームと同様の治療用光ビームを放出し得るものとされた光源を具備している。
【００２４】
本発明における特徴点は、光源が、１．２μｍ〜１．３μｍという範囲の好ましくは１．２６μｍ〜１．２７μｍという範囲の波長の非熱的な治療用光ビームを放出し得るよう構成され、これにより、そのような波長が、酸素の分子転移に特に適した波長であり、これにより、細胞内において一重項酸素が直接的にかつ十分な量だけ形成される。
【００２５】
また、本発明は、加齢性黄斑変性を治療するための方法であって、１．２μｍ〜１．３μｍという範囲の好ましくは１．２６μｍ〜１．２７μｍという範囲の波長の非熱的な治療用光ビームを、斑点に対して照射し、これにより、そのような波長が、酸素の分子転移に特に適した波長であり、これにより、細胞内において一重項酸素を直接的にかつ十分な量だけ形成する。
【００２６】
光源は、好ましくは、コヒーレントな光ビームを生成するようなレーザー源とされる。
【００２７】
本発明にとって必須というわけではないけれども、好ましくは、使用されるレーザー源は、光ファイバラマンレーザーとされる。
【００２８】
より詳細には、レーザー源のパワーは、１ｍＷ〜１Ｗという範囲内とされ、好ましくは、１０ｍＷ〜１Ｗという範囲内とされる。
【００２９】
上記において特定した波長範囲の治療用光ビームを使用することにより、有利なようにかつ驚くべきことに、薬剤を使用する必要なく、ＡＲＭＤの治療に関して満足な結果が得られること（視力損失の回復、さらには、視力の向上）が、判明した。結果的には、上記において特定した波長範囲の治療用光ビームの作用が、新血管内に含有されている血液から直接的に一重項酸素を生成するように機能し、その量が、感光性薬剤の注入後に得られるのと同等の治療効果を得るのと同程度の量であるものと考えられる。よって、上記ＤＰＴ手法とは異なり、光ビームは、中間物質（感光性薬剤）に対して作用することによって一重項酸素を形成するのではなく、本発明において特定された上記波長の光ビームが、新血管内に含有された酸素と直接的に作用することによって、一重項酸素を形成する。しかしながら、本出願人は、この説明のみに限定するものではない。
【発明を実施するための最良の形態】
【００３０】
本発明の他の特徴点や利点は、添付図面を参照しつつ、本発明を何ら限定するものではなく単なる例示としての好ましい実施形態に関する以下の詳細な説明を読むことにより、明瞭となるであろう。
【００３１】
図１は、スリットランプというタイプのものとされた、ＡＲＭＤの治療のための本発明による装置の一実施形態を示している。
【００３２】
スリットランプに関する通常の場合と同様に、この装置は、本質的に、
−治療対象をなす眼を医者が観測することを可能とする光学ユニット（１）と；
−光ビーム（３）を生成するように機能する治療ユニット（２）であるとともに、この例では、鉛直方向に光を導出するものとされている治療ユニット（２）と；
−光ビーム（３）を９０だけ偏向させ、これにより、光ビームを、治療ユニット（２）の光学的観測軸と同じ光学軸上へと水平方向に伝搬させる、ミラー（４）と；
−患者の頭部を、光学ユニット（１）と光ビーム（３）とに対して位置決めし、これにより、治療対象をなす眼を位置決めするための、顎を載せるタイプの手段（５）と；
を備えている。
【００３３】
図２に示すように、治療ユニット（２）は、治療用光源（２０）と、眼を照射するための従来的光源（２２）（標準的照射ランプ）と、を備えている。光源（２０）からの治療用光ビーム（２０ａ）は、光学的結合システム（２３）を使用することによって、従来的光源（２２）からの照射ビーム（２２ａ）に対して、従来的手法（光学的コリメータシステム（２１））による成形後に、従来的な態様で結合される。動作時には、上記光ビーム（３）が、治療ユニット（２）の導出ポートから導出される。この光ビーム（３）は、治療用光ビームと、光学ユニット（１）によって眼を観測し得るために照射される非治療用ビームと、の双方に関するものである。
【００３４】
本発明の本質は、治療ユニット（２）の光源（２０）である。この光源については、詳細に後述する。装置に関する他の構成要素は、従来技術によるスリットランプにおいて通常的に使用されている構成要素と同じである。そのため、ここでは、それら他の構成要素に関する説明を省略する。
【００３５】
本発明においては、光源（２０）は、１．２μｍ〜１．３μｍという範囲の発光波長を示す治療用光ビーム（２０ａ）を放出し得るよう構成されている。
【００３６】
治療用光ビーム（２０ａ）は、好ましくは、コヒーレントな光ビーム（レーザー）である。それでもなお、他の実施形態においては、治療用光ビーム（２０ａ）は、十分なパワーの光源から生成され、その後、周波数成分が１．２μｍ〜１．３μｍだけとなるように光学的フィルタリングされたような、非コヒーレントな光ビームとすることもできる。
【００３７】
光ビーム（２０ａ）がコヒーレント光を有している場合には、本発明の最も一般的な範囲においては、特定のタイプのレーザー源（２０）に限定されるものではなく、上記波長条件を満たす光ビームを放出するのに適した当業者に公知の任意のレーザー源を使用することができる。特に、すべてを列記するわけではないけれども、以下のタイプのレーザー源を使用することができる。
−連続型のまたはパルス型の、光ファイバラマンレーザーや；
−ネオジウムがドーピングされた（Ｎｄがドーピングされた）光ファイバまたは固体レーザーまたはイッテルビウムがドーピングされた（Ｙｂがドーピングされた）光ファイバまたは固体レーザーまたはダイオードによって光学的にポンピングされた、連続型のまたはパルス型の、Ｃｒ：フォルステライト（Ｃｒ４＋：Ｍｇ２ＳｉＯ４）レーザーや；
−他のレーザー源によってポンピングされた、連続型のまたはパルス型の、パラメトリック共振器や；
−レーザーダイオードや；
−他のレーザー源によってポンピングされた、連続型のまたはパルス型の、固体ラマンコンバータまたはレーザー。
【００３８】
上記様々なレーザーの中でも、光ファイバラマンレーザーを使用することが好ましい。それは、主に、以下の理由による。
−レーザーからのファイバ出力が、治療ユニット（２）の導出ポートに対するビームの搬送を容易なものとする。
−生成されたレーザービーム（２０ａ）が、良好な空間的品質およびスペクトル的品質を示す。
−有利には、レーザー源（２０）が、コンパクトである。
−レーザー源（２０）が、信頼性の高いものであり、メンテナンスを必要としない。
−このタイプのレーザー源は、レーザーの品質とレーザーの製造コストとの間において、最良の妥協をもたらす。
【００３９】
［１．２μｍ〜１．３μｍという範囲の波長を有した光ファイバラマンレーザーの好ましい実施形態（図３）］
治療ユニット（２）内において使用されるレーザー源（２０）は、好ましくは、１．２６μｍ〜１．２７μｍという波長のかつ１ｍＷ〜１Ｗという範囲のパワーレベルのかつ好ましくは１０ｍＷ〜１Ｗという範囲のパワーレベルの治療用レーザービーム（２０ａ）を放出し得るよう構成された光ファイバラマンレーザーとされる。
【００４０】
図３に示すように、光ファイバラマンレーザーは、９１０ｎｍ〜９３０ｎｍあるいは９７０ｎｍ〜９８０ｎｍという波長のポンピング用レーザーダイオード（２０１）と、イッテルビウムによってドーピングされた光ファイバレーザー（２０２）と、ラマンコンバータ（２０４）と、を備えている。ラマンコンバータ（２０４）は、光ファイバレーザー（２０２）から出力されたビームの波長を変換するように機能し、これにより、１２６０ｎｍ〜１２７０ｎｍという範囲の波長を有したレーザービームを得る。
【００４１】
Ｙｂによってドーピングされた光ファイバレーザー（２０２）は、イッテルビウムによってドーピングされたコアと２つのブラッグ格子（２０７ａ）とを有してなる二重クラッド光ファイバ（２０５）によって構成されている。一方のブラッグ格子は、コアの入力側に配置され、他方のブラッグ格子は、コアの出力側に配置されている。Ｙｂレーザーファイバ（２０２）の出力ポート（２０３）は、ラマンコンバータ（２０４）の入力ポートに対して直接的に溶接されている。
【００４２】
ラマンコンバータ（２０４）は、リンによってドーピングされたコアと２つのブラッグ格子（２０７ｂ）とを有してなる光ファイバ（２０６）によって構成されている。一方のブラッグ格子は、コアの入力側に配置され、他方のブラッグ格子は、コアの出力側に配置されている。ブラッグ格子は、１２６０ｎｍ〜１２７０ｎｍという範囲の波長に対して調節されている。このコンバータは、単一ステップでもって、Ｙｂレーザー（２０２）の発光波長を変換するよう機能する。
【００４３】
他の変形例においては、上述したファイバとは異なるような、単一モードのあるいはマルチモードの光ファイバを使用することができる。このような場合には、ラマンコンバータ（２０４）によって行われる変換ステップの数は、ファイバの性質の関数として調節される必要があり、特に、使用されているドーパントの性質の関数として調節される必要がある。
【００４４】
また、ブラッグ格子を、単一モードのカプラによって代替することもできる。
【００４５】
パワーは、小さな結合係数を示すカプラ（２０８）と、フォトダイオード（２０９）と、このフォトダイオードに対して接続された制御エレクトロニクス（２１０）と、によって制御される。制御エレクトロニクス（２１０）は、例えばポンピング用ダイオード（２０１）に対する供給電流を直接的に調節するといったような手法により、出力パワー（２１５）を制御することができる。制御エレクトロニクス（２１０）により、医者は、治療用レーザービーム（２０ａ）のパワーを、１ｍＷ〜１Ｗという範囲にわたって好ましくは１０ｍＷ〜１Ｗという範囲にわたって、手動で調節することができる。
【００４６】
例示するならば、光ファイバラマンレーザーの出力（２１５）は、出力コネクタ（図示はしていないものの、例えば、ＦＣやＳＭＡ等といったようなタイプのコネクタによって構成される）に対して接続される。出力コネクタは、スリットランプのコリメータ光学系（２１）に対して、容易にかつ直接的に接続することを可能とする。
【００４７】
さらに、駆動ペダル（２１１）または等価手段制御が、エレクトロニクス（２１０）に対して接続されている。これにより、医者は、治療用レーザービーム（２０ａ）の起動（トリガー）を制御することができる。
【００４８】
付加的な特徴点においては、レーザー源（２０）は、さらに、照準手段（２１２，２１３，２１４）を備えている。より詳細には、このような照準手段は、６３０ｎｍ〜６９０ｎｍという波長範囲で発光するような赤色の光ファイバレーザーダイオード（２１２）と；この光ファイバレーザーダイオード（２１２）からの光を、光ファイバラマンレーザーからの出力光に対して結合させる減衰器（２１３）と；単一モードの波長分割多重方式（ＷＤＭ）カプラ（２１４）と；を備えている。ダイオード（２１２）は、照準用光源として機能し、治療用レーザービームの照射ポイントを医者が（光学ユニット（１）を使用して）視認することを可能とする。
【００４９】
図３を参照して上述した光ファイバラマンレーザーは、１．２μｍ〜１．３μｍという範囲の波長の治療用光ビームを放出するよう機能するものであって、それ自体が新規なものである。そのため、医療用途であるかどうかにかかわらず、また、ＡＲＭＤの治療という特定の分野とは異なる分野において、他の用途においても使用することができて、有用なものである。
【００５０】
本発明による装置は、以下のようにして使用される。患者は、顎載せ台（５）上において、頭部を位置決めする。医者は、治療対象をなす眼の、ビーム（３）に対しての３次元的な位置を、従来技術の場合と同様に、ダイオード（２１２）によって連続的に生成される照準ビームを使用して治療用レーザービーム（２０ａ）の照射ポイントを可視化することによって、非常に精度良く調節する。正確な位置決めの後に、医者は、治療用レーザービーム（２０ａ）の発光パワーを調節し、所定時間にわたって制御ペダルまたは均等物（２１１）を駆動する。これにより、治療用レーザービームを照射する（治療対象をなす斑点領域を照射する）。治療時間は、医者によって決定される。付加的には、この治療時間を制御するためのエレクトロニクス的手段を、装置内に付設することができる。斑点をなす対象領域を治療した後に、医者は、同じ操作を、さらなる疾病領域に関して、繰り返す（眼は、ビーム（３）に対して新たに位置合わせされる）。
【図面の簡単な説明】
【００５１】
【図１】スリットランプを有しているタイプの本発明による治療装置の一例を示す図である。
【図２】図１の装置の治療ユニットの内部に搭載された２つの主要光源（治療用光源、および、照射用光源）を示す図である。
【図３】図１の装置において使用されている光ファイバラマンレーザーを示す図である。
【符号の説明】
【００５２】
２０    光ファイバラマンレーザー（レーザー源、光源）
２０ａ  治療用光ビーム
２０１    ポンピング用レーザーダイオード
２０２    イッテルビウムによってドーピングされた光ファイバレーザー
２０４    ラマンコンバータ
【図１】
2005532886.tif 000003
【図２】
2005532886.tif 000004
【図３】
2005532886.tif 000005
【国際調査報告】
2005532886.tif 000006
2005532886.tif 000007
2005532886.tif 000008
2005532886.tif 000009
2005532886.tif 000010
2005532886.tif 000011